(57)【要約】      （修正有）【課題】ベアリングの構造を改善して部品間の摩擦を最小にすることにより、騒音の低減及び圧縮効率の向上を図った密閉型復復動圧縮機を提供する。【解決手段】フレーム３１０の中空部３１１の上端に環状の第１のベアリング挿着溝３１２が形成され、この第１のベアリング挿着溝には第１のラジアルベアリング４１０が挿着され回転軸２３０を摩擦接触状態で支持する。第１のラジアルベアリングには、シリンダブロック３２０の圧縮部３００とフレームの中空部が機械的公差により互いに直角とならなくても該第１のラジアルベアリングの余裕角で回転軸を自動的に調心させる自動調心ベアリングが用いられる。第１のラジアルベアリングにより回転軸の軸方向荷重及びピストン３４０の進退による水平方向の力を同時に支持するので、回転軸とフレーム間、圧縮室３２１とピストン間、及び回転軸とフレーム間の摩擦損失が減少する。【選択図】        図２
2004332711.tif 000002
【特許請求の範囲】
【請求項１】
上部に偏心部が設けられた回転軸と、
上記回転軸を回転させる駆動部と、
上記回転軸が挿設される中空部及び該中空部の上端に環状の第１のベアリング挿着溝が形成されたフレームと、
上記フレームの上部の一側に設けられた圧縮室を有するシリンダブロックと、
上記偏心部の回転により上記圧縮室内で進退して冷媒を圧縮するピストンと、
上記回転軸の軸方向荷重及び上記ピストンの進退による水平方向の力を同時に支持するために、上記フレームにより支持される環状の外輪と上記回転軸が挿設される内輪とを有し、上記第１のベアリング挿着溝に挿着される第１のラジアルベアリングとを備える密閉型往復動圧縮機。
【請求項２】
上記第１のラジアルベアリングは、自身の余裕角で上記回転軸を自動的に調心させる自動調心ベアリングであることを特徴とする請求項１記載の密閉型往復動圧縮機。
【請求項３】
上記回転軸は、上記中空部から離隔するように上記第１のベアリング挿着溝の下側に所定距離だけ縮径されることを特徴とする請求項１記載の密閉型往復動圧縮機。
【請求項４】
上記回転軸は、上記中空部の下端部により支持されることを特徴とする請求項３記載の密閉型往復動圧縮機。
【請求項５】
上記回転軸は、オイルを吸い込んで案内するために、該回転軸の下端から上記偏心部まで内部を貫通してなるオイル流路と、上記中空部の下端部に支持される部分に形成され、オイルを排出するように上記オイル流路に連通したオイル排出孔と、オイルを吐き出すように、該オイル流路に連通して上記偏心部の一側に設けられたオイル吐出溝とを備えることを特徴とする請求項４記載の密閉型往復動圧縮機。
【請求項６】
上記第１のラジアルベアリングの上側又は下側には、該第１のラジアルベアリングを弾支するために、少なくとも１つの第１のスプリングワッシャが設けられることを特徴とする請求項１記載の密閉型往復動圧縮機。
【請求項７】
上記偏心部の下面には、上記第１のラジアルベアリングの内輪を支持する支持部が設けられ、上記第１のベアリング挿着溝の下面には、上記第１のラジアルベアリングの内輪の下面から離隔するように離隔溝が形成されていることを特徴とする請求項１記載の密閉型往復動圧縮機。
【請求項８】
上記第１のラジアルベアリングの内輪は、上記回転軸を摩擦接触状態で支持し、該第１のラジアルベアリングの外輪は、上記第１のベアリング挿着溝に押し込まれて固定されることを特徴とする請求項７記載の密閉型往復動圧縮機。
【請求項９】
上記第１のラジアルベアリングの内輪の上面と上記支持部の下面との間には、所定の弾性力を有する第１の上部スプリングワッシャが設けられることを特徴とする請求項８記載の密閉型往復動圧縮機。
【請求項１０】
上記第１のラジアルベアリングの外輪は、上記第１のベアリング挿着溝に摩擦接触状態で支持され、該第１のラジアルベアリングの内輪には、上記回転軸が押し込まれて固定されることを特徴とする請求項７記載の密閉型往復動圧縮機。
【請求項１１】
上記第１のラジアルベアリングの外輪の下面と上記第１のベアリング挿着溝の下面との間には、所定の弾性力を有する第１の下部スプリングワッシャが設けられることを特徴とする請求項１０記載の密閉型往復動圧縮機。
【請求項１２】
上記中空部の下端には環状の第２のベアリング挿着溝が形成され、該第２のベアリング挿着溝には、上記フレームにより支持される環状の外輪と上記回転軸が挿設される内輪とを有する第２のラジアルベアリングが設けられることを特徴とする請求項１記載の密閉型往復動圧縮機。
【請求項１３】
上記第２のラジアルベアリングは、自身の余裕角で上記回転軸を自動的に調心させる自動調心ベアリングであることを特徴とする請求項１２記載の密閉型往復動圧縮機。
【請求項１４】
上記回転軸は、上記中空部から離隔するように上記第２のベアリング挿着溝の下側に所定距離だけ縮径されることを特徴とする請求項１２記載の密閉型往復動圧縮機。
【請求項１５】
上記回転軸は、上記中空部から離隔するように上記第２のベアリング挿着溝の上側に所定距離だけ縮径されることを特徴とする請求項１２記載の密閉型往復動圧縮機。
【請求項１６】
上記回転軸は、オイルを吸い込んで案内するため、該回転軸の下端から上記偏心部まで内部を貫通してなるオイル流路と、該偏心部の一側に、オイルを吐き出して飛散させるように上記オイル流路に連通したオイル吐出孔とを備えることを特徴とする請求項１２記載の密閉型往復動圧縮機。
【請求項１７】
上記回転軸には、上記第２のラジアルベアリングの内輪の下面を支持する止めリングが設けられ、上記第２のベアリング挿着溝の上面には該第２のラジアルベアリングの内輪の上面から離隔するように段差溝が形成されることを特徴とする請求項１２記載の密閉型往復動圧縮機。
【請求項１８】
上記第２のラジアルベアリングの外輪と上記第２のベアリング挿着溝の上面との間には、所定の弾性力を有する第２のスプリングワッシャが設けられることを特徴とする請求項１７記載の密閉型往復動圧縮機。
【請求項１９】
上記偏心部の回転運動を上記ピストンの直線往復運動に変換するために、該偏心部の上側に形成された偏心軸と嵌合される軸支部が一端に設けられ、他端が上記ピストンに固定されるコネクティングロッドと、上記偏心軸の外側と上記軸支部の内側間に介在される第３のラジアルベアリングとをさらに有することを特徴とする請求項１２記載の密閉型往復動圧縮機。
【請求項２０】
上記第３のラジアルベアリングは、自身の余裕角で上記回転軸を自動的に調心させる自動調心ベアリングであることを特徴とする請求項１９記載の密閉型往復動圧縮機。
【請求項２１】
上記回転軸は、上記中空部から離隔するように上記第１のベアリング挿着溝の下側に所定距離だけ縮径されていることを特徴とする請求項１９記載の密閉型往復動圧縮機。
【請求項２２】
上記回転軸は、上記中空部から離隔するように上記第２のベアリング挿着溝の上側に所定距離だけ縮径されていることを特徴とする請求項１９記載の密閉型往復動圧縮機。
【請求項２３】
上記回転軸は、オイルを吸い込んで案内するために、該回転軸の下端から上記偏心部まで内部を貫通してなるオイル流路と、上記偏心部の一側に、オイルを吐き出して飛散させるように上記オイル流路に連通するオイル吐出孔とを備えることを特徴とする請求項１９記載の密閉型往復動圧縮機。
【請求項２４】
上記偏心部の回転運動を上記ピストンの直線往復運動に変換するために、該偏心部の上側に形成された偏心軸と結合される軸支部が一端に設けられ、他端が上記ピストンに固定されるコネクティングロッドと、上記偏心軸の外側と上記軸支部の内側間に介在される第３のラジアルベアリングとをさらに有することを特徴とする請求項１記載の密閉型往復動圧縮機。
【請求項２５】
上記第３のラジアルベアリングは、自身の余裕角で上記回転軸を自動的に調心させる自動調心ベアリングであることを特徴とする請求項２４記載の密閉型往復動圧縮機。
【請求項２６】
上記回転軸は、上記中空部から離隔するように上記第１のベアリング挿着溝の下側に所定距離だけ縮径されていることを特徴とする請求項２４記載の密閉型往復動圧縮機。
【請求項２７】
上記回転軸は、上記中空部の下端部により支持されることを特徴とする請求項２４記載の密閉型往復動圧縮機。
【請求項２８】
上記回転軸は、オイルを吸い込んで案内するため、該回転軸の下端から上記偏心部まで内部を貫通してなるオイル流路と、上記中空部の下端部により支持される部分に形成され、上記オイル流路に連通したオイル供給溝と、上記偏心部の一側に、オイルを吐き出して外部に飛散させるように上記オイル流路に連通したオイル吐出孔とを備えることを特徴とする請求項２４記載の密閉型往復動圧縮機。
【請求項２９】
偏心部が設けられた回転軸と、
上記回転軸を回転させる駆動部と、
冷媒の圧縮がなされる圧縮室が形成されたシリンダブロックと、
上記圧縮室内で進退して冷媒を圧縮するピストンと、
上記偏心軸の回転運動を上記ピストンの直線往復運動に変換するために、該偏心軸と嵌合する軸支部が一端に設けられ、他端が上記ピストンに固定されるコネクティングロッドと、
上記偏心軸の外側と上記軸支部の内側間に介在される第３のラジアルベアリングとを備える密閉型往復動圧縮機。
【請求項３０】
上記第３のラジアルベアリングは、自身の余裕角で上記回転軸を自動的に調心させる自動調心ベアリングであることを特徴とする請求項２９記載の密閉型往復動圧縮機。
【発明の詳細な説明】
【技術分野】
【０００１】
本発明は、密閉型往復動圧縮機に関し、より詳しくは部品間の円滑な作動のためにラジアルベアリングを用いる密閉型往復動圧縮機に関する。
【背景技術】
【０００２】
一般に、圧縮機は、機械的な力で物質に圧力を加えて物質の体積を縮小させるか又は状態を変化させる装置である。このような圧縮機のうちには、密閉した空間内で回転運動を直線運動に変換して冷媒を圧縮する密閉型往復動圧縮機がある。
【０００３】
このような機能を有する一般の密閉型圧縮機は、上部容器と下部容器が結合されて密閉空間をなす密閉容器の内部に冷媒を吸い込んで圧縮する圧縮部と、圧縮部を駆動する駆動部とを有する。
【０００４】
圧縮部は、フレームに一体的に形成され、圧縮室を有するシリンダブロックと、圧縮室に対する冷媒の吸込及び吐出しを案内するように吸込室と吐出室が設けられたシリンダヘッドと、圧縮室の内部で直線往復運動するピストンとからなる。
【０００５】
駆動部は、圧縮部の下部に設けられており、電源が印加されて磁場を形成する固定子と、固定子と相互作用して回転する回転子と、回転子の中心部に軸方向に押し込まれて一体的に回転する回転軸とを有する
回転軸は、フレームに形成された中空部内に設けられ、回転軸の上端には偏心軸が設けられた偏心部が設けられている。また、偏心部とフレーム間には、回転軸の軸方向荷重を支持するスラストベアリングが設けられている。
【０００６】
回転軸の下部の内部には、下部オイル流路が形成されている。この下部オイル流路は回転軸の下端から回転軸の中間部まで延長され、より詳しくは、フレームと接触する部分まで延長されている。そして、回転軸がフレームと摺動する位置からは、回転軸の外周面に沿って螺旋状に形成されたオイル溝が下部オイル流路に連通するように設けられ、オイル溝の上端は偏心部に形成された上部オイル流路と再び連通する。したがって、回転軸の回転により、密閉容器の底面のオイルは、下部オイル流路、オイル溝、上部オイル流路を順次通過し、オイルがオイル溝により案内されながら回転軸とフレームの接触面、及び回転軸とスラストベアリング間に油膜を形成することにより、回転軸が円滑に回転するようにする。
【０００７】
しかし、このように構成された従来の密閉型往復動圧縮機に設けられたスラストベアリングは回転軸の荷重による垂直方向の力のみを支持するので、回転軸がフレームに形成された中空部により摩擦接触状態で支持される。
【０００８】
このような構造により回転軸とフレーム間で激しい摩擦が発生し、これによる騒音が発生し、圧縮機の効率が低下するという問題点がある。
【０００９】
また、回転軸とフレーム間の摩擦を最小にするために、回転軸の外周面に螺旋状のオイル溝を加工しなければならないので、作業工程が複雑になり、加工が容易でないという問題点がある。
【００１０】
また、シリンダブロックの圧縮部とフレームの中空部が、機械的公差により、互いに直角とならない場合、圧縮室とピストン間、かつ回転軸とフレーム間で摩擦が発生するという問題点がある。
【発明の開示】
【発明が解決しようとする課題】
【００１１】
したがって、本発明は、このような従来の問題点を解決するためになされたものであり、本発明の目的は、密閉型往復動圧縮機に適用されるベアリングの構造を改善して部品間の摩擦を最小にすることにより、騒音の低減及び圧縮効率の向上を図った密閉型往復動圧縮機を提供することである。
【課題を解決するための手段】
【００１２】
上述の目的を達成するために、本発明は、上部に偏心部が設けられた回転軸と、回転軸を回転させる駆動部と、回転軸が挿設される中空部及び中空部の上端に環状の第１のベアリング挿着溝が形成されたフレームと、フレームの上部の一側に設けられた圧縮室を有するシリンダブロックと、偏心部の回転により圧縮室内で進退して冷媒を圧縮するピストンと、回転軸の軸方向荷重及びピストンの進退による水平方向の力を同時に支持するために、第１のベアリング挿着溝に挿着され、フレームにより支持される環状の外輪と回転軸が挿設される内輪とを有する第１のラジアルベアリングとを備える密閉型往復動圧縮機を提供する。
【００１３】
本発明の他の実施例によると、本発明は、上部に偏心部が設けられた回転軸と、回転軸を回転させる駆動部と、回転軸が挿設される中空部及び中空部の上端に環状の第１のベアリング挿着溝が形成されたフレームと、フレームの上部の一側に設けられた圧縮室を有するシリンダブロックと、偏心部の回転により圧縮室内で進退して冷媒を圧縮するピストンと、回転軸の軸方向荷重及びピストンの進退による水平方向の力を同時に支持するために、第１のベアリング挿着溝に挿着され、フレームにより支持される環状の外輪及び回転軸が挿設される内輪を有する第１のラジアルベアリングとを備え、中空部の下端には環状の第２のベアリング挿着溝が形成され、第２のベアリング挿着溝には、フレームにより支持される環状の外輪及び回転軸が挿設される環状の内輪を有する第２のラジアルベアリングが設けられる密閉型往復動圧縮機を提供する。
【００１４】
本発明のさらに他の実施例によると、本発明は、偏心部が設けられた回転軸と、回転軸を回転させる駆動部と、冷媒の圧縮がなされる圧縮室が形成されたシリンダブロックと、圧縮室内で進退して冷媒を圧縮するピストンと、偏心軸の回転運動をピストンの直線往復運動に変換するために、偏心軸と嵌合する軸支部が一端に設けられ、他端がピストンに固定されるコネクティングロッドと、偏心軸の外側と軸支部の内側間に介在される第３のラジアルベアリングとを備える密閉型往復動圧縮機を提供する。
【発明の効果】
【００１５】
本発明を適用した密閉型往復動圧縮機は、回転軸とフレーム間、又は偏心軸とコネクティングロッド間にラジアルベアリングが選択的に設けられるので、各部品間の摩擦が減少して、騒音が低減し、圧縮機の効率が向上するという効果がある。
【００１６】
また、シリンダブロックの圧縮室とフレームの中空部が機械的公差により互いに直角とならないとき、自動調心のラジアルベアリングにより圧縮室とピストン間、及び回転軸とフレーム間の摩擦損失を減らすことができるという効果がある。
【発明を実施するための最良の形態】
【００１７】
以下、添付図面を参照して本発明の好ましい実施例を詳細に説明する。
【００１８】
図１は、本発明を適用した密閉型往復動圧縮機の第１の実施例の全体構造を示す側断面図である。
【００１９】
同図に示すように、本発明を適用した密閉型往復動圧縮機の第１の実施例は、上部容器１１０と下部容器１２０が結合されて密閉空間をなす密閉容器１００の内部に冷媒を吸い込んで圧縮する圧縮部３００と、圧縮部３００を駆動する駆動部２００とを有する。
【００２０】
圧縮部３００は、フレーム３１０に一体的に形成され、上部の一側に設けられた圧縮室３２１を有するシリンダブロック３２０と、圧縮室３２１に対して冷媒の吸込及び吐出しを案内するように吸込室３３１と吐出室３３２が設けられたシリンダヘッド３３０と、圧縮室３２１の内部で直線往復運動するピストン３４０とからなる。
【００２１】
また、シリンダブロック３２０とシリンダヘッド３３０との間には、圧縮室３２１を通過する冷媒の吸込及び吐出しを断続するための、吸入バルブプレート及び吐出バルブプレートを有するバルブ装置３６０が設けられる。
【００２２】
駆動部２００は、圧縮部３００の下部に設けられており、電源が印加されて磁場を形成する固定子２１０と、固定子２１０と相互作用して回転する回転子２２０と、回転子２２０の中心部に軸方向に挿入されて一体的に回転する回転軸２３０とを有する。
【００２３】
回転軸２３０の上端には、偏心状態で回転する偏心部２４０が設けられている。この偏心部２４０は、回転軸２３０が均衡を維持したままで回転するようにする回転錐２４１と、回転錐２４１の上側に所定の長さで突出した偏心軸２４２と、後述する第１のラジアルベアリング４１０を支持する支持部２４３とを有し、偏心軸２４２の偏心回転運動は、コネクティングロッド３５０により直線運動に変換され、ピストン３４０が圧縮室３２１内で直線往復運動する。
【００２４】
回転軸２３０は、フレーム３１０に形成された中空部３１１内に挿設され、フレーム３１０の中空部３１１の上端には環状の第１のベアリング挿着溝３１２が形成され、この第１のベアリング挿着溝３１２には、回転軸２３０を摩擦接触状態で支持するために、第１のラジアルベアリング４１０が挿設される。また、回転軸２３０は、中空部３１１から離隔するように、第１のベアリング挿着溝３１２の下部に所定距離だけ縮径され、回転軸２３０は中空部３１１の下部に摩擦接触状態で支持される。
【００２５】
回転軸２３０には、オイルＬを吸い込んで案内するように、下端から偏心部２４０まで内部を貫通するオイル流路２３１が形成されている。また、回転軸２３０には、中空部３１１の下部に支持される部分に、オイルの排出のために、オイル流路２３１に連通したオイル排出孔２３２が形成されており、偏心部２４０の一側に、オイルを吐き出すために、オイル流路２３１に連通したオイル吐出孔２４４が設けられている。
【００２６】
図２は、本発明を適用した密閉型往復動圧縮機の第１の実施例に基づく第１のラジアルベアリング４１０の構造を示す部分断面図である。
【００２７】
同図に示すように、第１のラジアルベアリング４１０は、環状の外輪４１１と環状の内輪４１２とボール４１３とを有する。外輪４１１は第１のベアリング挿着溝３１２が形成されたフレーム３１０に支持され、内輪４１２は回転軸２３０を取り囲んでいる。
【００２８】
内輪４１２は、その上面が偏心部２４０の下面に突設された支持部２４３により支持され、その下面が第１のベアリング挿着溝３１２の下面に形成された離隔溝３１３により離隔される。
【００２９】
内輪４１２は、回転軸２３０を摩擦接触状態で支持し、外輪４１１は第１のベアリング挿着溝３１２に押し込まれて固定される。なお、これとは反対に、第１のラジアルベアリングの内輪４１２に回転軸２３０が押し込まれて固定され、第１のラジアルベアリングの外輪４１１が第１のベアリング挿着溝３１２に摩擦接触状態で支持されてもよい。
【００３０】
また、第１のラジアルベアリング４１０としては、シリンダブロック３２０の圧縮室３２１とフレーム３１０の中空部３１１が機械的公差により互いに直角とならなくても、第１のラジアルベアリング４１０の余裕角により回転軸２３０を自動的に調心する自動調心ベアリングが用いられる。
【００３１】
次に、このように構成された本発明の第１の実施例に用いられた第１のラジアルベアリング４１０を適用した密閉型往復動圧縮機の動作及び作用を説明する。
【００３２】
まず、密閉型往復動圧縮機に電源が印加されると、固定子２１０との電磁的相互作用により回転子２２０が回転し、回転子２２０の回転により偏心軸２４２が回転する。そして、コネクティングロッド３５０を介して偏心軸２４２に連結されたピストン３４０は、圧縮室３２１内で直線往復運動して冷媒を圧縮する。
【００３３】
この際、第１のラジアルベアリング４１０は、回転軸２３０の軸方向荷重及びピストン３４０の進退による水平方向の力を同時に摩擦接触状態で支持するので、回転軸２３０とフレーム３１０間の摩擦損失を低減させることができる。
【００３４】
また、回転軸２３０が第１のラジアルベアリング４１０により自動的に調心されるので、圧縮室３２１とピストン３４０間、及び回転軸２３０とフレーム３１０間の摩擦損失を減らすことができる。
【００３５】
したがって、圧縮機の効率を向上させ、部品間の摩擦による騒音を低減させることができる。
【００３６】
図３は、本発明の第１の実施例の変形例である密閉型往復動圧縮機の第１のラジアルベアリング４１０の構造を示す断面図であり、第１の実施例と同じ構成部には同一の符号を付け、その詳細な説明は省略する。
【００３７】
同図に示すように、本実施例を適用した密閉型往復動圧縮機は、第１のベアリング挿着溝３１２に第１のラジアルベアリング４１０が挿着される。第１のラジアルベアリングの外輪４１１は第１のベアリング挿着溝３１２に押し込まれて固定され、第１のラジアルベアリングの内輪４１２は回転軸２３０を摩擦接触状態で支持する。
【００３８】
第１のラジアルベアリングの内輪４１２の上面と支持部２４３の下面間には、所定の弾性力を有する第１の上部スプリングワッシャ４１４が設けられる。この第１の上部スプリングワッシャ４１４は、回転軸２３０を弾支することにより、軸方向荷重を緩める。
【００３９】
第１の上部スプリングワッシャ４１４により回転軸２３０及び回転子２２０（図１参照）が所定距離だけ上下方向に移動可能になるので、回転子２２０は、固定子２１０（図１参照）との相互作用により発生する磁場により固定子２１０に平行に配置されるように、位置が自動的に調節される。
【００４０】
図４は、本発明の第１の実施例の他の変形例である適用した密閉型往復動圧縮機の第１のラジアルベアリング４１０の構造を示す部分断面図であり、第１の実施例と同じ構成部には同一の符号を付け、その詳細な説明は省略する。
【００４１】
同図に示すように、本発明を適用した密閉型往復動圧縮機は、第１のベアリング挿着溝３１２に第１のラジアルベアリング４１０が挿着される。第１のラジアルベアリングの内輪４１２には回転軸２３０が押し込まれて固定され、第１のラジアルベアリングの外輪４１１は第１のベアリング挿着溝３１２に摩擦接触状態で支持される。
【００４２】
第１のラジアルベアリングの外輪４１１の下面と第１のベアリング挿着溝３１２の下面間には、所定の弾性力を有する第１の下部スプリングワッシャ４１５が設けられる。この第１の下部スプリングワッシャ４１５は回転軸２３０を弾支することにより、軸方向荷重を緩める。
【００４３】
第１の下部スプリングワッシャ４１５により回転軸２３０及び回転子２２０（図１参照）が所定距離だけ上下方向に移動可能になるので、回転子２２０は、固定子２１０（図１参照）との相互作用により発生する磁場により固定子２１０に平行に配置されるように、位置が自動的に調節される。
【００４４】
図５は、本発明の第２の実施例である密閉型往復動圧縮機の全体構造を示す側断面図であり、図６は、本発明の第２の実施例の要部を示す部分断面図であり、第１の実施例と同じ構成部には同一の符号を付け、その詳細な説明は省略する。
【００４５】
図５及び図６に示すように、本発明を適用した密閉型往復動圧縮機は、フレーム３１０に形成された中空部３１１の下端に環状の第２のベアリング挿着溝３１４が形成されている。この第２のベアリング挿着溝３１４には、その外輪４２１が第２のベアリング挿着溝３１４の形成されたフレーム３１０により支持され、その内輪４２２に回転軸２３０が挿設される第２のラジアルベアリング４２０が挿着される。
【００４６】
回転軸２３０は、中空部３１１から離隔するように、第２のベアリング挿着溝３１４の上方に所定距離だけ縮径されている。回転軸２３０は、オイルを吸い込んで案内するために、下端から偏心部２４０まで内部を貫通してオイル流路２３１が形成され、偏心部２４０の一側には、オイルを吐き出すために、オイル流路２３１に連通したオイル吐出孔２４４が設けられている。
【００４７】
第２のラジアルベアリング４２０を固定するために、回転軸２３０には第２のラジアルベアリングの内輪４２２の下面を支持する止めリング４２３が設けられ、第２のベアリング挿着溝３１４の上面には第２のラジアルベアリング４２０の内輪４２２の上面から離隔するように段差溝３１５が形成されている。
【００４８】
第２のラジアルベアリング４２０としては、シリンダブロック３２０の圧縮室３２１とフレーム３１０の中空部３１１が機械的公差により互いに直角とならなくても、第２のラジアルベアリング４２０の余裕角により回転軸２３０を自動的に調心する自動調心ベアリングが用いられる。
【００４９】
このように、本発明を適用した密閉型往復動圧縮機は、フレーム３１０の中空部３１１の下端に第２のラジアルベアリング４２０が設けられる構造により、回転軸２３０と中空部３１１が滑り接触することを防止し、第２のラジアルベアリング４２０により回転軸２３０が自動的に調心されるので、圧縮室３２１とピストン３４０間、及び回転軸２３０とフレーム３１０間の摩擦損失が軽減する。
【００５０】
図７は、本発明の第２の実施例の変形例である密閉型往復動圧縮機の第２のラジアルベアリング４２０の構造を示す部分断面図であり、第２の実施例と同じ構成部には同一の符号を付け、その詳細な説明は省略する。
【００５１】
同図に示すように、本発明を適用した密閉型往復動圧縮機は、第２のベアリング挿着溝３１４の上面と第２のラジアルベアリング４２０の外輪４２１の上面間に所定の弾性力を有する第２のスプリングワッシャ４２４が設けられる。
【００５２】
この第２のスプリングワッシャ４２４は、回転軸２３０を弾支することにより、軸方向荷重を緩める。
【００５３】
また、第２のスプリングワッシャ４２４により回転軸２３０及び回転子２２０が上下方に所定距離だけ移動可能になるので、回転子２２０は、固定子２１０（図５参照）との相互作用により発生する磁場により固定子２１０に平行に配置されるように位置が自動的に調節される。
【００５４】
図８は、本発明の第３の実施例である密閉型往復動圧縮機の全体構造を示す断面図であり、第１の実施例と同じ構成部には同一の符号を付け、その詳細な説明は省略する。
【００５５】
同図に示すように、本発明を適用した密閉型往復動圧縮機は、偏心軸２４２とピストン３４０がコネクティングロッド３５０を介して連結され、偏心軸２４２の偏心回転運動がピストン３４０の直線往復運動に変換される。コネクティングロッド３５０は、偏心軸２４２に軸支方式で嵌合されるように、一端に軸支部３５１が設けられ、他端にピストン３４０が固定される。
【００５６】
そして、偏心軸２４２の外側と軸支部３５１の内側間には、その外輪４３１が軸支部３５１の内側に押し込まれて固定され、その内輪４３２に偏心軸２４２が挿設される第３のラジアルベアリング４３０が設けられる。
【００５７】
第３のラジアルベアリング４３０としては、シリンダブロック３２０の圧縮部３００とフレーム３１０の中空部３１１が機械的公差により互いに直角とならなくても、第３のラジアルベアリング４３０の余裕角により回転軸２３０を自動的に調心する自動調心ベアリングが用いられる。
【００５８】
このような第３のラジアルベアリング４３０により、偏心軸２４２と軸支部３５１間の摩擦を低減することができ、回転軸２３０が自動的に調心されるので、圧縮室３２１とピストン３４０間、及び回転軸２３０とフレーム３１０間の摩擦損失を減らすことができる。
【００５９】
図９は、本発明の第４の実施例である密閉型往復動圧縮機の全体構造を示す断面図である。本発明を適用した密閉型往復動圧縮機は、自動調心の機能を有する第１のラジアルベアリング４１０、第２のラジアルベアリング４２０、及び第３のラジアルベアリング４３０を備えている。
【００６０】
このように、３つのラジアルベアリング４１０、４２０、４３０がすべて設けられるため、回転軸２３０とフレーム３１０間、及び偏心軸２４２とコネクティングロッド３５０間の摩擦を著しく減少させることができ、回転軸２３０が自動的に調心されるため、圧縮室３２１とピストン３４０間、及び回転軸２３０と中空部３１１間の摩擦損失を減らすことができる。
【図面の簡単な説明】
【００６１】
【図１】本発明を適用した密閉型往復動圧縮機の第１の実施例の全体構造を示す側断面図である。
【図２】本発明を適用した密閉型往復動圧縮機の第１の実施例の第１のラジアルベアリングの構造を示す部分断面図である。
【図３】本発明を適用した密閉型往復動圧縮機の第１の実施例の変形例の第１のラジアルベアリングの構造を示す部分断面図である。
【図４】本発明を適用した密閉型往復動圧縮機の他の変形例の第１のラジアルベアリングの構造を示す部分断面図である。
【図５】本発明を適用した密閉型往復動圧縮機の第２の実施例の全体構造を示す側断面図である。
【図６】本発明を適用した密閉型往復動圧縮機の第２の実施例の第２のラジアルベアリングの構造を示す部分断面図である。
【図７】本発明を適用した密閉型往復動圧縮機の第２の実施例の変形例の第２のラジアルベアリングの構造を示す部分断面図である。
【図８】本発明を適用した密閉型往復動圧縮機の第３の実施例の全体構造を示す側断面図である。
【図９】本発明を適用した密閉型往復動圧縮機の第４の実施例の全体構造を示す側断面図である。
【符号の説明】
【００６２】
１００    密閉容器、  １１０    上部容器、  １２０    下部容器、  ２００    駆動部、  ２１０    固定子、  ２２０    回転子、  ２３０    回転軸、  ３００    圧縮部、  ３１０    フレーム、  ３１１    中空部、  ３１２    第１のベアリング挿着溝、  ３２０    シリンダブロック、  ３３０    シリンダヘッド、  ３４０    ピストン、  ３５０    コネクティングロッド、  ３６０    バルブ装置、  ４１０    第１のラジアルベアリング、  ４１１    第１のラジアルベアリングの外輪、  ４１２    第１のラジアルベアリングの内輪、  ４１５    第１の下部スプリングワッシャ、  ４２０    第２のラジアルベアリング、  ４３０    第３のラジアルベアリング
【図１】
2004332711.tif 000003
【図２】
2004332711.tif 000004
【図３】
2004332711.tif 000005
【図４】
2004332711.tif 000006
【図５】
2004332711.tif 000007
【図６】
2004332711.tif 000008
【図７】
2004332711.tif 000009
【図８】
2004332711.tif 000010
【図９】
2004332711.tif 000011